(57)【要約】【課題】カメラで撮像した画像を記憶させる画像記憶媒体に常時、画像を保存させることなくプレ録画させ、プレ録画機能を有していても電力消費量が増すことを防ぐ。【解決手段】親機２０の制御回路２１４は、人体感知センサ１０５の反応を第１のトリガ、呼出ボタン１０２の操作を第２のトリガとして、第１のトリガの入力により子機１０のカメラ１０１にて撮像された映像の不揮発性メモリ２１１への録画を開始し、第１のトリガの入力後から一定時間以内に第２のトリガが入力されない場合に録画を消去し、入力した場合に不揮発性メモリ２１１への録画を続行する制御機能を有する。【選択図】図１
2006211517.tif 000002
【特許請求の範囲】
【請求項１】
呼出ボタン（１０２）を有する子機（１０）の近傍に来訪者が存在しているか否かを感知するための人体感知センサ（１０５）を備え、前記子機のカメラ（１０１）にて撮像された映像を親機（２０）のモニタ（２０１）に出画させ、前記映像を静止画録画若しくは動画録画するための機能を有するテレビドアホン装置であって、
前記親機は、前記映像を録画するための不揮発性メモリ（２１１）と、前記人体感知センサの反応を第１のトリガ、前記呼出ボタンの操作或いは前記人体感知センサの反応から得られる来訪者の一定時間の滞留を第２のトリガとして、前記第１のトリガの入力により前記映像の前記不揮発性メモリへの録画を開始し、前記第１のトリガの入力後から一定時間以内に前記第２のトリガが入力されない場合に前記録画を消去するための制御回路（２１４）とを有することを特徴とするテレビドアホン装置。
【請求項２】
呼出ボタン（１０２）を有する子機（１０）の近傍に来訪者が存在しているか否かを感知するための人体感知センサ（１０５）を備え、前記子機のカメラ（１０１）にて撮像された映像を親機（２０）のモニタ（２０１）に出画させ、前記映像を静止画録画若しくは動画録画するための機能を有するテレビドアホン装置であって、
前記子機は、前記カメラにて撮像された映像を録画するための不揮発性メモリ（１１２）を有し、
前記子機及び前記親機は、前記人体感知センサの反応を第１のトリガ、前記呼出ボタンの操作或いは前記人体感知センサの反応から得られる来訪者の一定時間の滞留を第２のトリガとして、前記第１のトリガの入力により前記映像の前記不揮発性メモリへの録画を開始し、前記第１のトリガの入力後から一定時間以内に前記第２のトリガが入力されない場合に前記録画を消去するための制御回路（２１４、１１５）を備えることを特徴とするテレビドアホン装置。
【請求項３】
呼出ボタン（１０２）を有する子機（１０）の近傍に来訪者が存在しているか否かを感知するための人体感知センサ（１０５）を備え、前記子機のカメラ（１０１）にて撮像された映像を親機（２０）のモニタ（２０１）に出画させ、前記映像を静止画録画若しくは動画録画するための機能を有するテレビドアホン装置であって、
前記映像を一時的に録画するための揮発性メモリ（１１１、２１０）と、前記人体感知センサの反応を第１のトリガ、前記呼出ボタンの操作或いは前記人体感知センサの反応から得られる来訪者の一定時間の滞留を第２のトリガとして、前記第１のトリガの入力により前記映像の前記揮発性メモリへの録画を開始し、前記第１のトリガの入力後から一定時間以内に前記第２のトリガが入力されない場合に前記録画を消去するための制御回路（２１４、１１５）と、前記制御回路の制御により第２のトリガ入力で前記揮発性メモリに録画されていた映像が転送され前記映像を録画する不揮発性メモリ（１１２、２１１）とを備えることを特徴とするテレビドアホン装置。
【発明の詳細な説明】
【技術分野】
【０００１】
本発明は、テレビドアホン装置に係り、特に子機にて撮像された来訪者の映像を含む玄関先の映像を静止画プレ録画若しくは動画プレ録画する機能を有するテレビドアホン装置に関する。
【背景技術】
【０００２】
従来から、子機のカメラを常時、作動させているインターホン装置が提案されている（例えば、特許文献１参照。）。このインターホン装置は、室内に設置された親機と玄関等に設置された子機で、居住者と来訪者が通話を行うと共に居住者が子機のカメラで撮像された映像を親機のモニタで確認することができるもので、この子機のカメラは常時作動し、親機では受信した画像信号を画像信号制御部の制御に基づき画像記憶部に記憶している。この画像記憶部はリングバッファで構成され、このリングバッファの記憶容量により所定時間分を上書きして記憶している。
【０００３】
このような子機のカメラを作動させて親機に録画させるインターホン装置の防犯機能を高めるために、子機の呼び出しボタンが押下される数秒前に遡って録画画像を保存するプレ録画機能をもたせる場合がある。このプレ録画機能として、異常検出前後の画像を記憶する画像監視装置が開示されている（例えば、特許文献２参照。）。この画像監視装置は画像センサに、所定数の画像を記憶する領域を有し、監視領域を撮影する撮影手段から入力される画像を、常時、記憶領域に記憶し、順次記憶した画像の書き換え処理を行うことにより、最新の所定数の画像を記憶する画像記憶手段と、異常の発生を検出したとき、画像記憶手段に対して異常の種類に応じた枚数だけ画像の書き換え処理を行わせた後に、書き換え処理を中止させる制御手段とを備えている。
【０００４】
この画像監視装置において、画像記憶手段は、監視領域を撮影する撮影手段から入力される画像を、常時、所定数の画像を記憶する画像記憶手段に記憶し、この画像記憶手段が一杯になると、順次、古い画像を新しく入力された画像に書き換えるものである。また、制御手段は、非常通報があれば書き換え処理を中止するタイミングを早くして異常検出前の画像の数を多くするプレ録画（遡り録画）機能を有している。
【０００５】
【特許文献１】特開２００４−２０８０８１号公報  （第４頁、第１図）
【特許文献２】特開平１１−２８４９８４号公報  （第２頁−５頁、第１図、第３図）
【発明の開示】
【発明が解決しようとする課題】
【０００６】
しかしながら、上述したインターホン装置や画像監視装置では、カメラで撮像した画像を画像記憶部や画像記憶手段に常時、記憶させているので、消費電力が大きくなる難点があった。また、画像を画像記憶部や画像記憶手段に常時、記憶させていることから、これら画像記憶部や画像記憶手段の寿命が短くなるので、異常が発生して書き込み不良となる難点があった。特に、プレ録画機能を有している場合にはプレ録画できなくなるので、防犯機能の低下に繋がることになる。
【０００７】
本発明は、このような従来の難点を解決するためになされたもので、カメラで撮像した画像を記憶させる画像記憶媒体に常時、画像を保存させることなくプレ録画させることができるテレビドアホン装置を提供することを目的とする。
【０００８】
また、本発明は、プレ録画機能を有していても電力消費量が増すことを防ぐことができるテレビドアホン装置を提供することを目的とする。
【課題を解決するための手段】
【０００９】
本発明のテレビドアホン装置は、子機のカメラにて撮像された映像を親機のモニタに出画させ、映像を静止画録画若しくは動画録画するための機能を有し、子機は、当該子機に内蔵或いは外付けされ子機の近傍に来訪者が存在しているか否かを感知するための人体感知センサを少なくとも１台接続するためのセンサ・インターフェースと、子機から親機を呼び出すための呼出ボタンとを有するものである。
【００１０】
第１の態様であるテレビドアホン装置の親機は、映像を録画するための不揮発性メモリと、人体感知センサの反応を第１のトリガ、呼出ボタンの操作或いは人体感知センサの反応から得られる来訪者の一定時間の滞留を第２のトリガとして、第１のトリガの入力により映像の不揮発性メモリへの録画を開始し、第１のトリガの入力後から一定時間以内に前記第２のトリガが入力されない場合に録画を消去するための制御回路とを有するものである。
【００１１】
第２の態様であるテレビドアホン装置の子機及び親機は、人体感知センサの反応を第１のトリガ、呼出ボタンの操作或いは人体感知センサの反応から得られる来訪者の一定時間の滞留を第２のトリガとして、第１のトリガの入力により映像の不揮発性メモリへの録画を開始し、第１のトリガの入力後から一定時間以内に第２のトリガが入力されない場合に録画を消去するための制御回路を備えるものである。
【００１２】
第３の態様であるテレビドアホン装置は、映像を一時的に録画するための揮発性メモリと、人体感知センサの反応を第１のトリガ、呼出ボタンの操作或いは人体感知センサの反応から得られる来訪者の一定時間の滞留を第２のトリガとして、第１のトリガの入力により映像の揮発性メモリへの録画を開始し、第１のトリガの入力後から一定時間以内に第２のトリガが入力されない場合に録画を消去するための制御回路と、制御回路の制御により第２のトリガ入力で揮発性メモリに録画されていた映像が転送され映像を録画する不揮発性メモリとを備えるものである。
【００１３】
このようなテレビドアホン装置によれば、第１のトリガによって子機の近傍に人体が存在するのを感知してからプレ録画を開始することができるので、画像記憶媒体である不揮発性メモリや揮発性メモリに、常時、画像を録画させなくともよくなる。また、第１のトリガの入力後から一定時間以内に第２のトリガが入力した場合には画像記憶媒体に録画を続行し、また、入力しない場合には画像記憶媒体に録画されていた映像を消去するので、防犯機能を低下させることなく画像記憶媒体の寿命を向上させることができる。
【発明の効果】
【００１４】
本発明のテレビドアホン装置によれば、カメラで撮像した画像を記憶させる不揮発性メモリや揮発性メモリに常時、画像を保存させることなくプレ録画させることができ、また、プレ録画機能を有していても電力消費量が増すことを防ぐことができる。したがって、防犯機能を低下させることなく不揮発性メモリや揮発性メモリの寿命を向上させることができ、これら画像記憶媒体に異常が発生して書き込み不良となることを防ぐことができるようになる。
【発明を実施するための最良の形態】
【００１５】
以下、本発明のテレビドアホン装置における好ましい実施の形態例について、図面を参照して説明する。
【００１６】
本発明の好ましい実施の形態例であるテレビドアホン装置は図１に示すように、玄関などの戸外に設置され来訪者をカメラ１０１で撮像する子機１０と、子機１０に接続されると共に室内に設置され子機１０のカメラ１０１で撮像した画像を録画するカメラ録画機能、および録画された画像をモニタ２０１で再生する再生機能を有する親機２０とを備え、この子機１０、親機２０間のデータ送受信はデジタル信号によって行われている。
【００１７】
子機１０は、来客を親機２０に知らせる呼出ボタン１０２と、親機２０と通話を行うための子機スピーカ１０３および子機マイク１０４と、子機の近傍に人体が存在していることを感知するための人体感知センサ１０５とを備えている。人体感知センサ１０５は、当該子機１０に内蔵或いは当該子機１０の近傍に外付けされていてもよく、また、防犯効果を高めるために両方に設置させてもよい。なお、人体感知センサ１０５を外付けした場合には、子機１０に少なくとも１台の人体感知センサ１０５を接続できるようなセンサ・インターフェース１０６を設ける。
【００１８】
また、子機１０は、後述する親機２０からの音声信号を増幅するスピーカアンプ１０７と、子機マイク１０４からの音声信号を増幅するマイクアンプ１０８と、親機２０から送信されたデジタル音声信号をアナログ音声信号に変換し、また、マイクアンプ１０８により増幅された子機マイク１０４からのアナログ音声信号をデジタル音声信号に変換するオーディオコーデック１０９と、カメラ１０１からの映像信号をデジタル圧縮画像データに変換する圧縮回路１１０と、圧縮回路１１０から送信されるデジタル圧縮画像データを一時的に記憶する揮発性メモリ１１１と、揮発性メモリ１１１に一時的に記憶されたデジタル圧縮画像データを転送して長期記憶するための書き換え可能な不揮発性メモリ１１２と、各種デジタルデータをパケット化するパケット処理回路１１３と、パケットデータの送受信を行う通信回路１１４と、ＣＰＵなどにより構成され子機１０の構成各部を制御する制御回路１１５とを備えている。なお、揮発性メモリ１１１としてはＤＲＡＭ（Dynamic Random Access Memory）などが、また、不揮発性メモリ１１２としてはＥＰＲＯＭ（Erasable Programmable Read Only Memory）、フラッシュメモリなどがそれぞれ好適である。
【００１９】
このような子機１０のカメラ１０１は圧縮回路１１０に接続され、圧縮回路１１０はパケット処理回路１１３、不揮発性メモリ１１２および制御回路１１５に接続され、呼出ボタン１０２および内蔵された人体感知センサ１０５はそれぞれ制御回路１１５に接続され、子機スピーカ１０３はスピーカアンプ１０７を、子機マイク１０４はマイクアンプ１０８を介してそれぞれオーディオコーデック１０９に接続され、オーディオコーデック１０９はパケット処理回路１１３に接続されている。なお、外付けされた人体感知センサ１０５はセンサ・インターフェース１０６を介して制御回路１１５に接続されている。また、揮発性メモリ１１１、不揮発性メモリ１１２およびカメラ１０１はそれぞれ制御回路１１５に接続されている。この制御回路１１５はパケット処理回路１１３に接続され、パケット処理回路１１３は親機２０に有線接続するための通信回路１１４に接続されている。
【００２０】
親機２０は、子機１０と通話を行うための親機スピーカ２０２および親機マイク２０３と、来訪者と通話および終話を行うための通話ボタン２０４と、録画された来訪者の映像をモニタ２０１に出画するための再生ボタン２０５とを備えている。また、親機２０は、子機１０からの音声信号を増幅するスピーカアンプ２０６と、親機マイク２０３からの音声信号を増幅するマイクアンプ２０７と、子機１０から送信されたデジタル音声信号をアナログ音声信号に変換し、また、マイクアンプ２０７により増幅された親機マイク２０３からのアナログ音声信号をデジタル音声信号に変換するオーディオコーデック２０８と、子機１０から送信されたデジタル圧縮画像データを伸張する伸張回路２０９と、子機１０から送信されたデジタル圧縮画像データを一時的に記憶するための揮発性メモリ２１０と、揮発性メモリ２１０に一時的に記憶されたデジタル圧縮画像データを転送させるための書き換え可能な不揮発性メモリ２１１と、各種デジタルデータをパケット化するパケット処理回路２１２と、パケットデータの送受信を行う通信回路２１３と、ＣＰＵなどにより構成され親機２０の構成各部を制御する制御回路２１４と、揮発性メモリ２１０に格納された映像データを制御回路２１４の制御によりモニタ２０１に出画するモニタ制御回路２１５とを備えている。なお、揮発性メモリ２１０としてはＤＲＡＭなどが、また、不揮発性メモリ２１１としてはＥＰＲＯＭ、フラッシュメモリなどがそれぞれ好適である。
【００２１】
このような親機２０のモニタ２０１はモニタ制御回路２１５に接続され、モニタ制御回路２１５は伸張回路２０９および制御回路２１４に接続され、親機スピーカ２０２はスピーカアンプ２０６を、親機マイク２０３はマイクアンプ２０７を介してそれぞれオーディオコーデック２０８に接続され、オーディオコーデック２０８はパケット処理回路２１２に接続されている。また、通話ボタン２０４、再生ボタン２０５、揮発性メモリ２１０および不揮発性メモリ２１１はそれぞれ制御回路２１４に接続されている。この制御回路２１４はオーディオコーデック２０８、伸張回路２０９およびパケット処理回路２１２に接続され、パケット処理回路２１２は子機１０に有線接続するための通信回路２１３に接続されている。
【００２２】
このように構成されたテレビドアホン装置の子機１０の制御回路１１５と親機２０の制御回路２１４は、映像を静止画像録画若しくは動画録画するための制御機能を６種類有している。
【００２３】
第１の制御機能は、人体感知センサ１０５の反応を第１のトリガ、呼出ボタン１０２の操作から得られる来訪者の一定時間の滞留を第２のトリガとして、第１のトリガの入力により親機の不揮発性メモリ２１１に子機１０のカメラ１０１からの映像の録画を開始し、第１のトリガの入力後から一定時間以内に第２のトリガが入力されない場合に録画を消去する制御機能で、親機２０の制御回路２１４が有している。なお、第２のトリガは、人体感知センサ１０５の反応から得られる来訪者の一定時間の滞留としてもよい。
【００２４】
第２の制御機能は、人体感知センサ１０５の反応を第１のトリガ、呼出ボタン１０２の操作から得られる来訪者の一定時間の滞留を第２のトリガとして、第１のトリガの入力により子機の不揮発性メモリ１１２に子機１０のカメラ１０１からの映像の録画を開始し、第１のトリガの入力後から一定時間以内に第２のトリガが入力されない場合に録画を消去する制御機能で、子機１０の制御回路１１５と親機２０の制御回路２１４が有している。なお、第２のトリガは第１の制御機能と同様に、人体感知センサ１０５の反応から得られる来訪者の一定時間の滞留としてもよい。
【００２５】
第３の制御機能は、人体感知センサ１０５の反応を第１のトリガ、呼出ボタン１０２の操作から得られる来訪者の一定時間の滞留を第２のトリガとして、第１のトリガの入力により親機２０の揮発性メモリ２１０に子機１０のカメラ１０１からの映像の録画を開始し、第１のトリガの入力後から一定時間以内に第２のトリガが入力されない場合に録画を消去し、また、第１のトリガの入力後から一定時間以内に第２のトリガが入力された場合に、その第２のトリガ入力で親機２０の揮発性メモリ２１０に録画されていた映像が親機２０の不揮発性メモリ２１１に転送されその映像を録画する制御機能で、子機１０の制御回路１１５と親機２０の制御回路２１４が有している。なお、第２のトリガは第１の制御機能と同様に、人体感知センサ１０５の反応から得られる来訪者の一定時間の滞留としてもよい。
【００２６】
第４の制御機能は、人体感知センサ１０５の反応を第１のトリガ、呼出ボタン１０２の操作から得られる来訪者の一定時間の滞留を第２のトリガとして、第１のトリガの入力により子機１０の揮発性メモリ１１１に子機１０のカメラ１０１からの映像の録画を開始し、第１のトリガの入力後から一定時間以内に第２のトリガが入力されない場合に録画を消去し、また、第１のトリガの入力後から一定時間以内に第２のトリガが入力された場合に、その第２のトリガ入力で子機１０の揮発性メモリ１１１に録画されていた映像が親機２０の不揮発性メモリ２１１に転送されその映像を録画する制御機能で、子機１０の制御回路１１５と親機２０の制御回路２１４が有している。なお、第２のトリガは第３の制御機能と同様に、人体感知センサ１０５の反応から得られる来訪者の一定時間の滞留としてもよい。
【００２７】
第５の制御機能は、人体感知センサ１０５の反応を第１のトリガ、呼出ボタン１０２の操作から得られる来訪者の一定時間の滞留を第２のトリガとして、第１のトリガの入力により子機１０の揮発性メモリ１１１に子機１０のカメラ１０１からの映像の録画を開始し、第１のトリガの入力後から一定時間以内に第２のトリガが入力されない場合に録画を消去し、また、第１のトリガの入力後から一定時間以内に第２のトリガが入力された場合に、その第２のトリガ入力で子機１０の揮発性メモリ１１１に録画されていた映像が子機１０の不揮発性メモリ１１２に転送されその映像を録画する制御機能で、子機１０の制御回路１１５と親機２０の制御回路２１４が有している。なお、第２のトリガは第３の制御機能と同様に、人体感知センサ１０５の反応から得られる来訪者の一定時間の滞留としてもよい。
【００２８】
第６の制御機能は、人体感知センサ１０５の反応を第１のトリガ、呼出ボタン１０２の操作から得られる来訪者の一定時間の滞留を第２のトリガとして、第１のトリガの入力により親機２０の揮発性メモリ２１０に子機１０のカメラ１０１からの映像の録画を開始し、第１のトリガの入力後から一定時間以内に第２のトリガが入力されない場合に録画を消去し、また、第１のトリガの入力後から一定時間以内に第２のトリガが入力された場合に、その第２のトリガ入力で親機２０の揮発性メモリ２１０に録画されていた映像が子機１０の不揮発性メモリ１１２に転送されその映像を録画する制御機能で、子機１０の制御回路１１５と親機２０の制御回路２１４が有している。なお、第２のトリガは第３の制御機能と同様に、人体感知センサ１０５の反応から得られる来訪者の一定時間の滞留としてもよい。
【００２９】
次に、各制御機能による録画状態について、以下に説明する。
［実施例１］
まず、子機１０の制御回路１１５および親機２０の制御回路２１４が第１の制御機能に設定されている場合について説明する。この第１の制御機能は、呼出ボタン１０２の操作から得られる来訪者の一定時間の滞留を第２のトリガとするものとする。また、人体感知センサ１０５は子機１０に内蔵されているものとする。
【００３０】
人体感知センサ１０５が人体を感知すると、人体感知センサ１０５からの人体感知信号は制御回路１１５を介してパケット処理回路１１３に送信される。パケット処理回路１１３は、人体感知信号をパケット化して通信回路１１４→親機２０の通信回路２１３を介してパケット処理回路２１２に伝送する。パケット処理回路２１２は、パケットデータから人体感知信号を分離して制御回路２１４に送信する。親機２０の制御回路２１４は人体感知信号を受信すると第１の制御機能に基づき、この信号を第１のトリガとして子機１０のカメラ１０１を駆動するための制御信号をパケット処理回路２１２に送信する。パケット処理回路２１２は、制御信号をパケット化して通信回路２１３→子機１０の通信回路１１４を介してパケット処理回路１１３に伝送する。パケット処理回路１１３は、パケットデータから制御信号を分離して制御回路１１５に送信する。子機１０の制御回路１１５はこの制御信号に基づきカメラ１０１を駆動させるので、撮像が開始される。また、子機１０の制御回路１１５は人体感知信号を受信すると第１の制御機能に基づき、内部タイマで子機１０の呼出ボタン１０２からの呼出信号が一定時間内に受信されるかを監視する。
【００３１】
子機１０のカメラ１０１は撮像した映像の信号を圧縮回路１０１でデジタル圧縮画像データに変換してパケット処理回路１１３に送信する。パケット処理回路１１３は、デジタル圧縮画像データをパケット化して通信回路１１４→親機２０の通信回路２１３を介してパケット処理回路２１２に送信する。パケット処理回路２１２は、パケットデータからデジタル圧縮画像データを分離して制御回路２１４に送信する。制御回路２１４はデジタル圧縮画像データを不揮発性メモリ２１１に蓄積する。この不揮発性メモリ２１１はフレーム単位の複数の画像データを蓄積できる容量を持ち、図２（ａ）に示すように、人体感知センサ１０１が反応したときの子機１０のカメラ１０１からの映像のデジタル圧縮画像データを画像ｎとすると、制御回路２１４は画像ｎを不揮発性メモリ２１１の領域１に蓄積し、続いて画像ｎ＋１が入力されると領域２に蓄積する。さらに画像ｎ＋２が入力されると領域３に蓄積する。これら動作を新しいデジタル圧縮画像データが入力されるたびに繰り返すことになる。なお、画像データを上書きすることはないので、蓄積する画像データの容量は限定されるが、プレ録画に必要な蓄積容量は確保されている。
【００３２】
このような状態において、来訪者が子機１０の呼出ボタン１０２を呼出操作すると、呼出ボタン１０２からの呼出信号は制御回路１１５に送信される。制御回路１１５はこの呼出信号を第２のトリガとして認識し、第１のトリガの入力後から一定時間以内に第２のトリガが入力している場合には、滞留信号をパケット処理回路１１３に送信する。パケット処理回路１１３は、滞留信号をパケット化して通信回路１１４→親機２０の通信回路２１３を介してパケット処理回路２１２に伝送する。パケット処理回路２１２はパケットデータから滞留信号を分離して制御回路２１４に送信する。制御回路２１４はこの滞留信号に基づき、子機１０のカメラ１０１からの映像のデジタル圧縮画像データを不揮発性メモリ２１１に蓄積すると共に、その蓄積されたデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。
【００３３】
また、親機２０の制御回路２１４は子機１０からの呼出信号に基づきスピーカ２０２を鳴動させるための音声信号を、オーディオコーデック２０８を介してスピーカアンプ２０６に送信するので、親機スピーカ２０２から呼出音が鳴動させることができる。この来訪者の呼び出しに応答するために居住者が親機２０の通話ボタン２０４で通話操作すると、子機１０の子機マイク１０４および子機スピーカ１０３と、親機２０の親機マイク２０３および親機スピーカ２０２により来訪者、居住者間の通話が成立する。なお、居住者が通話を終了するために通話ボタン２０４で終話操作すると、子機１０の子機マイク１０４および子機スピーカ１０３と、親機２０の親機マイク２０３および親機スピーカ２０２による来訪者、居住者間の通話状態が解除される。この際、親機２０の不揮発性メモリ２１１に記憶されたデジタル圧縮画像データは保存されたままである。
【００３４】
なお、第１のトリガの入力後から一定時間以内に第２のトリガが入力していない場合には、親機２０の制御回路２１４は、不揮発性メモリ２１１へのデジタル圧縮画像データの蓄積を中止し、当該不揮発性メモリ２１１内に蓄積されているデジタル圧縮画像データをすべて消去する。
【００３５】
また、この不揮発性メモリ２１１に保存された録画映像を再生する場合には、再生ボタン２０５を再生操作する。再生ボタン２０５を再生操作すると、再生ボタン２０５からの再生信号は制御回路２１４に送信される。制御回路２１４は、この再生信号に基づき不揮発性メモリ２１１に蓄積されているデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。ここで、映し出される映像は人体感知センサ１０１が反応してから、通話を終了するまでの子機１０のカメラ１０１で撮像される映像である。
【００３６】
このように、子機１０の制御回路１１５および親機２０の制御回路２１４に第１の制御機能を設定することで、子機１０のカメラ１０１で撮像した来訪者の映像を含む玄関先の映像を記憶させる親機２０の不揮発性メモリ２１１に常時、画像を保存させることなく静止画プレ録画や動画プレ録画させることができるようになる。
【００３７】
また、第２のトリガを子機１０の呼出ボタン１０２からの呼出信号にしていたが、これに限らず、人体感知センサ１０５の反応から得られる来訪者の一定時間の滞留としてもよい。この場合、子機１０の制御回路１１５が人体感知信号を受信すると、制御回路１１５の内部タイマで人体感知信号が継続して一定時間受信されるかを監視する。もし、一定時間以上受信された場合は、制御回路１１５は滞留信号を親機２０の制御回路２１４に伝送するためにパケット処理回路１１３に送信する。パケット処理回路１１３は、滞留信号をパケット化して通信回路１１４→親機２０の通信回路２１３を介してパケット処理回路２１２に伝送する。パケット処理回路２１２は、パケットデータから滞留信号を分離して制御回路２１４に送信する。親機２０の制御回路２１４は滞留信号を受信すると第１の制御機能に基づき、子機１０のカメラ１０１からの映像のデジタル圧縮画像データを不揮発性メモリ２１１に蓄積すると共に、その蓄積されたデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。また、制御回路１１５の内部タイマで人体感知信号の一定時間の滞留を計測できない場合は、録画消去信号を親機２０の制御回路２１４に伝送するためにパケット処理回路１１３に送信する。パケット処理回路１１３は、録画消去信号をパケット化して通信回路１１４→親機２０の通信回路２１３を介してパケット処理回路２１２に伝送する。パケット処理回路２１２は、パケットデータから録画消去信号を分離して制御回路２１４に送信する。親機２０の制御回路２１４は録画消去信号を受信すると第１の制御機能に基づき、不揮発性メモリ２１１へのデジタル圧縮画像データの蓄積を中止し、当該不揮発性メモリ２１１内に蓄積されているデジタル圧縮画像データをすべて消去する。
［実施例２］
次に、子機１０の制御回路１１５と親機２０の制御回路２１４が第２の制御機能に設定されている場合について説明する。この第２の制御機能は、第１の制御機能と同様に、呼出ボタン１０２の操作から得られる来訪者の一定時間の滞留を第２のトリガとするものとする。また、人体感知センサ１０５は子機１０に内蔵されているものとする。
【００３８】
人体感知センサ１０５が人体を感知すると、人体感知センサ１０５からの人体感知信号は制御回路１１５に送信される。制御回路１１５は、人体感知信号を受信すると第２の制御機能に基づきカメラ１０１を駆動させるので、撮像が開始される。また、制御回路１１５は人体感知信号を受信すると第２の制御機能に基づき、内部タイマで呼出ボタン１０２からの呼出信号が一定時間内に受信されるかを監視する。
【００３９】
子機１０のカメラ１０１は撮像した映像の信号を圧縮回路１１０でデジタル圧縮画像データに変換する。圧縮回路１１０は制御回路１１５の第２の制御機能に基づきデジタル圧縮画像データを不揮発性メモリ１１２に蓄積させる。この不揮発性メモリ１１２はフレーム単位の複数の画像データを蓄積できる容量を持ち、図２（ｂ）に示すように、人体感知センサ１０１が反応したときの子機１０のカメラ１０１からの映像のデジタル圧縮画像データを画像ｎとすると、制御回路１１５は画像ｎを不揮発性メモリ１１２の領域１に蓄積し、続いて画像ｎ＋１が入力されると領域２に蓄積する。さらに画像ｎ＋２が入力されると領域３に蓄積する。これら動作を新しいデジタル圧縮画像データが入力されるたびに繰り返すことになる。なお、画像データを上書きすることはないので、蓄積する画像データの容量は限定されるが、プレ録画に必要な蓄積容量は確保されている。
【００４０】
このような状態において、来訪者が子機１０の呼出ボタン１０２を押下すると、呼出ボタン１０２からの呼出信号は制御回路１１５に送信される。制御回路１１５はこの呼出信号を第２のトリガとして認識し、第１のトリガの入力後から一定時間以内に第２のトリガが入力している場合には、滞留信号をパケット処理回路１１３に送信する。パケット処理回路１１３は、滞留信号をパケット化して通信回路１１４→親機２０の通信回路２１３を介してパケット処理回路２１２に伝送する。パケット処理回路２１２はパケットデータから滞留信号を分離して制御回路２１４に送信する。制御回路２１４はこの滞留信号に基づき、子機１０の制御回路１１５にカメラ１０１からの映像のデジタル圧縮画像データを不揮発性メモリ１１２に蓄積させ続ける制御信号を送信すると共に、その蓄積されたデジタル圧縮画像データを蓄積された順に親機２０の伸張回路２０９に送信させる制御信号を、子機１０の制御回路１１５に送信する。子機１０の制御回路１１５はこの制御信号に基づき、不揮発性メモリ１１２に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の不揮発性メモリ１１２に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。
【００４１】
また、親機２０の制御回路２１４は子機１０からの呼出信号に基づきスピーカ２０２を鳴動させるための音声信号を、オーディオコーデック２０８を介してスピーカアンプ２０６に送信するので、親機スピーカ２０２から呼出音が鳴動させることができる。この来訪者の呼び出しに応答するために居住者が親機２０の通話ボタン２０４で通話操作すると、子機１０の子機マイク１０４および子機スピーカ１０３と、親機２０の親機マイク２０３および親機スピーカ２０２により来訪者、居住者間の通話が成立する。なお、居住者が通話を終了するために通話ボタン２０４で終話操作すると、子機１０の子機マイク１０４および子機スピーカ１０３と、親機２０の親機マイク２０３および親機スピーカ２０２による来訪者、居住者間の通話状態が解除される。この際、子機１０の不揮発性メモリ１１２に記憶されたデジタル圧縮画像データは保存されたままである。
【００４２】
なお、第１のトリガの入力後から一定時間以内に第２のトリガが入力していない場合には、子機１０の制御回路１１５は、不揮発性メモリ１１２へのデジタル圧縮画像データの蓄積を中止し、当該不揮発性メモリ１１２内に蓄積されているデジタル圧縮画像データをすべて消去する。
【００４３】
また、子機１０の不揮発性メモリ１１２に保存された録画映像を再生する場合には、再生ボタン２０５を再生操作する。再生ボタン２０５を再生操作すると、再生ボタン２０５からの再生信号は制御回路２１４に送信される。制御回路２１４は、この再生信号に基づき子機１０の不揮発性メモリ１１２に蓄積されているデジタル圧縮画像データを蓄積された順に親機２０の伸張回路２０９に送信させる制御信号を送信する。この制御信号に基づき、子機１０の制御回路１１５は不揮発性メモリ１１２に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の不揮発性メモリ１１２に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。ここで、映し出される映像は人体感知センサ１０１が反応してから、通話を終了するまでの子機１０のカメラ１０１で撮像される映像である。
【００４４】
このように、子機１０の制御回路１１５および親機２０の制御回路２１４に第２の制御機能を設定することで、子機１０のカメラ１０１で撮像した来訪者の映像を含む玄関先の映像を記憶させる子機１０の不揮発性メモリ１１５に常時、画像を保存させることなく静止画プレ録画や動画プレ録画させることができるようになる。
【００４５】
また、第２のトリガを子機１０の呼出ボタン１０２からの呼出信号にしていたが、これに限らず、人体感知センサ１０５の反応から得られる来訪者の一定時間の滞留としてもよい。この場合、子機１０の制御回路１１５が人体感知信号を受信すると、制御回路１１５の内部タイマで人体感知信号が継続して一定時間受信されるかを監視する。もし、一定時間以上受信された場合は、制御回路１１５は滞留信号を親機２０の制御回路２１４に伝送するためにパケット処理回路１１３に送信する。パケット処理回路１１３は、滞留信号をパケット化して通信回路１１４→親機２０の通信回路２１３を介してパケット処理回路２１２に伝送する。パケット処理回路２１２は、パケットデータから滞留信号を分離して制御回路２１４に送信する。親機２０の制御回路２１４は滞留信号を受信すると第２の制御機能に基づき、子機１０の制御回路１１５にカメラ１０１からの映像のデジタル圧縮画像データを不揮発性メモリ１１２に蓄積させ続ける制御信号を送信すると共に、その蓄積されたデジタル圧縮画像データを蓄積された順に親機２０の伸張回路２０９に送信させる制御信号を、子機１０の制御回路１１５に送信する。子機１０の制御回路１１５はこの制御信号に基づき、不揮発性メモリ１１２に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の不揮発性メモリ１１２に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。また、制御回路１１５の内部タイマで人体感知信号の一定時間の滞留を計測できない場合は、当該制御回路１１５の第２の制御機能に基づき、不揮発性メモリ１１２へのデジタル圧縮画像データの蓄積を中止し、当該不揮発性メモリ１１２内に蓄積されているデジタル圧縮画像データをすべて消去する。
［実施例３］
次に、子機１０の制御回路１１５と親機２０の制御回路２１４が第３の制御機能に設定されている場合について説明する。この第３の制御機能は、第１の制御機能と同様に、呼出ボタン１０２の操作から得られる来訪者の一定時間の滞留を第２のトリガとするものとする。また、人体感知センサ１０５は子機１０に内蔵されているものとする。
【００４６】
人体感知センサ１０５が人体を感知すると、人体感知センサ１０５からの人体感知信号は制御回路１１５を介してパケット処理回路１１３に送信される。パケット処理回路１１３は、人体感知信号をパケット化して通信回路１１４→親機２０の通信回路２１３を介してパケット処理回路２１２に伝送する。パケット処理回路２１２は、パケットデータから人体感知信号を分離して制御回路２１４に送信する。親機２０の制御回路２１４は人体感知信号を受信すると第３の制御機能に基づき、この信号を第１のトリガとして子機１０のカメラ１０１を駆動するための制御信号をパケット処理回路２１２に送信する。パケット処理回路２１２は、制御信号をパケット化して通信回路２１３→子機１０の通信回路１１４を介してパケット処理回路１１３に伝送する。パケット処理回路１１３は、パケットデータから制御信号を分離して制御回路１１５に送信する。子機１０の制御回路１１５はこの制御信号に基づきカメラ１０１を駆動させるので、撮像が開始される。また、子機１０の制御回路１１５は人体感知信号を受信すると第３の制御機能に基づき、内部タイマで子機１０の呼出ボタン１０２からの呼出信号が一定時間内に受信されるかを監視する。
【００４７】
子機１０のカメラ１０１は撮像した映像の信号を圧縮回路１０１でデジタル圧縮画像データに変換してパケット処理回路１１３に送信する。パケット処理回路１１３は、デジタル圧縮画像データをパケット化して通信回路１１４→親機２０の通信回路２１３を介してパケット処理回路２１２に送信する。パケット処理回路２１２は、パケットデータからデジタル圧縮画像データを分離して制御回路２１４に送信する。制御回路２１４はデジタル圧縮画像データを揮発性メモリ２１０に蓄積する。この揮発性メモリ２１０はフレーム単位の複数の画像データを蓄積できる容量を持ち、図２（ｃ）に示すように、人体感知センサ１０１が反応したときの子機１０のカメラ１０１からの映像のデジタル圧縮画像データを画像ｎとすると、制御回路２１４は画像ｎを揮発性メモリ２１０の領域１に蓄積し、続いて画像ｎ＋１が入力されると領域２に蓄積する。さらに画像ｎ＋２が入力されると領域３に蓄積する。この蓄積動作を繰り返し、画像ｎ＋２９が入力されると領域３０に蓄積されることになる。ここで、例えば、画像ｎ＋３０が入力すると、領域１に戻って画像ｎの蓄積画像を上書きして蓄積する。揮発性メモリ２１０は、これら蓄積動作を新しい画像データが入力される度に繰り返す上書き型であるが、プレ録画に必要な蓄積容量は確保されている。
【００４８】
このような状態において、来訪者が子機１０の呼出ボタン１０２を呼出操作すると、呼出ボタン１０２からの呼出信号は制御回路１１５に送信される。制御回路１１５はこの呼出信号を第２のトリガとして認識し、第１のトリガの入力後から一定時間以内に第２のトリガが入力している場合には、滞留信号をパケット処理回路１１３に送信する。パケット処理回路１１３は、滞留信号をパケット化して通信回路１１４→親機２０の通信回路２１３を介してパケット処理回路２１２に伝送する。パケット処理回路２１２はパケットデータから滞留信号を分離して制御回路２１４に送信する。制御回路２１４はこの滞留信号に基づき、子機１０のカメラ１０１からの映像のデジタル圧縮画像データを揮発性メモリ２１０に蓄積すると共に、その蓄積されたデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。なお、伸張回路２０９で伸張された画像データを揮発性メモリ２１０に一時的に記憶させるには、領域１〜領域３０に上書きさせたり、また、他の領域が存在する場合にはそこに記憶させたりしてもよい。
【００４９】
また、不揮発性メモリ２１１を録画再生用として使用するもので、親機２０の制御回路２１４の第３の制御機能に基づき、揮発性メモリ２１０に蓄積されているデジタル圧縮画像データが最も古いデジタル圧縮画像データから順に転送される。この不揮発性メモリ２１１は、図２（ｃ）に示すように、第２のトリガが入力した時点で制御回路２１４が予め設定されたプレ録画に必要な揮発性メモリ２１０の所定領域まで遡り、その領域の画像ｍを領域Ａに蓄積し、続いて画像ｍ＋１が入力されると領域Ｂに蓄積し、さらに画像ｍ＋２が入力されると領域Ｃに蓄積する。これら蓄積動作を新しいデジタル圧縮画像データが入力される度に繰り返すことになる。
【００５０】
また、親機２０の制御回路２１４は子機１０からの呼出信号に基づきスピーカ２０２を鳴動させるための音声信号を、オーディオコーデック２０８を介してスピーカアンプ２０６に送信するので、親機スピーカ２０２から呼出音が鳴動させることができる。この来訪者の呼び出しに応答するために居住者が親機２０の通話ボタン２０４で通話操作すると、子機１０の子機マイク１０４および子機スピーカ１０３と、親機２０の親機マイク２０３および親機スピーカ２０２により来訪者、居住者間の通話が成立する。なお、居住者が通話を終了するために通話ボタン２０４で終話操作すると、子機１０の子機マイク１０４および子機スピーカ１０３と、親機２０の親機マイク２０３および親機スピーカ２０２による来訪者、居住者間の通話状態が解除される。この際、親機２０の不揮発性メモリ２１１に記憶されたデジタル圧縮画像データは保存されたままである。
【００５１】
なお、第１のトリガの入力後から一定時間以内に第２のトリガが入力していない場合には、親機２０の制御回路２１４は、揮発性メモリ２１０へのデジタル圧縮画像データの蓄積を中止し、当該揮発性メモリ２１０内に蓄積されているデジタル圧縮画像データをすべて消去する。
【００５２】
また、不揮発性メモリ２１１に保存された録画映像を再生する場合には、再生ボタン２０５を再生操作する。再生ボタン２０５を再生操作すると、再生ボタン２０５からの再生信号は制御回路２１４に送信される。制御回路２１４は、この再生信号に基づき不揮発性メモリ２１１に再生用として蓄積されているデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。ここで、映し出される映像は人体感知センサ１０１が反応してから、通話を終了するまでの子機１０のカメラ１０１で撮像される映像である。
【００５３】
このように、子機１０の制御回路１１５および親機２０の制御回路２１４に第３の制御機能を設定することで、子機１０のカメラ１０１で撮像した来訪者の映像を含む玄関先の映像を記憶させる親機２０の揮発性メモリ２１０や不揮発性メモリ２１１に常時、画像を保存させることなく静止画プレ録画や動画プレ録画させることができるようになる。
【００５４】
また、第２のトリガを子機１０の呼出ボタン１０２からの呼出信号にしていたが、これに限らず、人体感知センサ１０５の反応から得られる来訪者の一定時間の滞留としてもよい。この場合、子機１０の制御回路１１５が人体感知信号を受信すると、制御回路１１５の内部タイマで人体感知信号が継続して一定時間受信されるかを監視する。もし、一定時間以上受信された場合は、制御回路１１５は滞留信号を親機２０の制御回路２１４に伝送するためにパケット処理回路１１３に送信する。パケット処理回路１１３は、滞留信号をパケット化して通信回路１１４→親機２０の通信回路２１３を介してパケット処理回路２１２に伝送する。パケット処理回路２１２は、パケットデータから滞留信号を分離して制御回路２１４に送信する。親機２０の制御回路２１４は滞留信号を受信すると第３の制御機能に基づき、子機１０のカメラ１０１からの映像のデジタル圧縮画像データを揮発性メモリ２１０に蓄積すると共に、その蓄積されたデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。また、録画再生のために、親機２０の制御回路２１４の第３の制御機能に基づき、揮発性メモリ２１０に蓄積されているデジタル圧縮画像データが最も古いデジタル圧縮画像データから順に不揮発性メモリ２１１へと転送される。
【００５５】
また、制御回路１１５の内部タイマで人体感知信号の一定時間の滞留を計測できない場合は、録画消去信号を親機２０の制御回路２１４に伝送するためにパケット処理回路１１３に送信する。パケット処理回路１１３は、録画消去信号をパケット化して通信回路１１４→親機２０の通信回路２１３を介してパケット処理回路２１２に伝送する。パケット処理回路２１２は、パケットデータから録画消去信号を分離して制御回路２１４に送信する。親機２０の制御回路２１４は録画消去信号を受信すると第３の制御機能に基づき、不揮発性メモリ２１１や揮発性メモリ２１０へのデジタル圧縮画像データの蓄積を中止し、当該不揮発性メモリ２１１や揮発性メモリ２１０内に蓄積されているデジタル圧縮画像データをすべて消去する。
［実施例４］
次に、子機１０の制御回路１１５と親機２０の制御回路２１４が第４の制御機能に設定されている場合について説明する。この第４の制御機能は、第１の制御機能と同様に、呼出ボタン１０２の操作から得られる来訪者の一定時間の滞留を第２のトリガとするものとする。また、人体感知センサ１０５は子機１０に内蔵されているものとする。
【００５６】
人体感知センサ１０５が人体を感知すると、人体感知センサ１０５からの人体感知信号は制御回路１１５に送信される。制御回路１１５は、人体感知信号を受信すると第４の制御機能に基づきカメラ１０１を駆動させるので、撮像が開始される。また、制御回路１１５は人体感知信号を受信すると第４の制御機能に基づき、内部タイマで呼出ボタン１０２からの呼出信号が一定時間内に受信されるかを監視する。
【００５７】
子機１０のカメラ１０１は撮像した映像の信号を圧縮回路１１０でデジタル圧縮画像データに変換する。圧縮回路１１０は制御回路１１５の第４の制御機能に基づきデジタル圧縮画像データを揮発性メモリ１１１に蓄積させる。この揮発性メモリ１１１はフレーム単位の複数の画像データを蓄積できる容量を持ち、図２（ｄ）に示すように、人体感知センサ１０１が反応したときの子機１０のカメラ１０１からの映像のデジタル圧縮画像データを画像ｎとすると、制御回路１１５は画像ｎを揮発性メモリ１１１の領域１に蓄積し、続いて画像ｎ＋１が入力されると領域２に蓄積する。さらに画像ｎ＋２が入力されると領域３に蓄積する。この蓄積動作を繰り返し、画像ｎ＋２９が入力されると領域３０に蓄積されることになる。ここで、例えば、画像ｎ＋３０が入力すると、領域１に戻って画像ｎの蓄積画像を上書きして蓄積する。揮発性メモリ１１１は、これら蓄積動作を新しい画像データが入力される度に繰り返す上書き型であるが、プレ録画に必要な蓄積容量は確保されている。
【００５８】
このような状態において、来訪者が子機１０の呼出ボタン１０２を呼出操作すると、呼出ボタン１０２からの呼出信号は制御回路１１５に送信される。制御回路１１５はこの呼出信号を第２のトリガとして認識し、第１のトリガの入力後から一定時間以内に第２のトリガが入力している場合には、滞留信号をパケット処理回路１１３に送信する。パケット処理回路１１３は、滞留信号をパケット化して通信回路１１４→親機２０の通信回路２１３を介してパケット処理回路２１２に伝送する。パケット処理回路２１２はパケットデータから滞留信号を分離して制御回路２１４に送信する。制御回路２１４はこの滞留信号に基づき、子機１０のカメラ１０１からの映像のデジタル圧縮画像データを揮発性メモリ１１１に蓄積させ続ける制御信号を送信すると共に、その蓄積されたデジタル圧縮画像データを蓄積された順に親機２０の伸張回路２０９に送信させる制御信号を、子機１０の制御回路１１５に送信する。子機１０の制御回路１１５はこの制御信号に基づき揮発性メモリ１１１に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の揮発性メモリ１１１に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。なお、伸張回路２０９で伸張された画像データを揮発性メモリ２１０に一時的に記憶させるには、領域１〜領域３０に上書きさせたり、また、他の領域が存在する場合にはそこに記憶させたりしてもよい。
【００５９】
また、不揮発性メモリ２１１を録画再生用として使用するもので、親機２０の制御回路２１４の第４の制御機能に基づき、子機１０の揮発性メモリ１１１に蓄積されているデジタル圧縮画像データが最も古いデジタル圧縮画像データから順に転送される。この不揮発性メモリ２１１は、図２（ｄ）に示すように、第２のトリガが入力した時点で制御回路２１４が予め設定されたプレ録画に必要な子機１０の揮発性メモリ１１１の所定領域まで遡り、その領域の画像ｍを領域Ａに蓄積し、続いて画像ｍ＋１が入力されると領域Ｂに蓄積し、さらに画像ｍ＋２が入力されると領域Ｃに蓄積する。これら蓄積動作を新しいデジタル圧縮画像データが入力される度に繰り返すことになる。
【００６０】
また、親機２０の制御回路２１４は子機１０からの呼出信号に基づきスピーカ２０２を鳴動させるための音声信号を、オーディオコーデック２０８を介してスピーカアンプ２０６に送信するので、親機スピーカ２０２から呼出音が鳴動させることができる。この来訪者の呼び出しに応答するために居住者が親機２０の通話ボタン２０４で通話操作すると、子機１０の子機マイク１０４および子機スピーカ１０３と、親機２０の親機マイク２０３および親機スピーカ２０２により来訪者、居住者間の通話が成立する。なお、居住者が通話を終了するために通話ボタン２０４で終話操作すると、子機１０の子機マイク１０４および子機スピーカ１０３と、親機２０の親機マイク２０３および親機スピーカ２０２による来訪者、居住者間の通話状態が解除される。この際、親機２０の不揮発性メモリ２１１に記憶されたデジタル圧縮画像データは保存されたままである。
【００６１】
なお、第１のトリガの入力後から一定時間以内に第２のトリガが入力していない場合には、子機１０の制御回路１１５は、揮発性メモリ１１１へのデジタル圧縮画像データの蓄積を中止し、当該揮発性メモリ１１１内に蓄積されているデジタル圧縮画像データをすべて消去する。
【００６２】
また、不揮発性メモリ２１１に保存された録画映像を再生する場合には、再生ボタン２０５を再生操作する。再生ボタン２０５を再生操作すると、再生ボタン２０５からの再生信号は制御回路２１４に送信される。制御回路２１４は、この再生信号に基づき不揮発性メモリ２１１に再生用として蓄積されているデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。ここで、映し出される映像は人体感知センサ１０１が反応してから、通話を終了するまでの子機１０のカメラ１０１で撮像される映像である。
【００６３】
このように、子機１０の制御回路１１５および親機２０の制御回路２１４に第４の制御機能を設定することで、子機１０のカメラ１０１で撮像した来訪者の映像を含む玄関先の映像を記憶させる子機１０の揮発性メモリ１１１や親機２０の不揮発性メモリ２１１に常時、画像を保存させることなく静止画プレ録画や動画プレ録画させることができるようになる。
【００６４】
また、第２のトリガを子機１０の呼出ボタン１０２からの呼出信号にしていたが、これに限らず、人体感知センサ１０５の反応から得られる来訪者の一定時間の滞留としてもよい。この場合、子機１０の制御回路１１５が人体感知信号を受信すると、制御回路１１５の内部タイマで人体感知信号が継続して一定時間受信されるかを監視する。もし、一定時間以上受信された場合は、制御回路１１５は滞留信号を親機２０の制御回路２１４に伝送するためにパケット処理回路１１３に送信する。パケット処理回路１１３は、滞留信号をパケット化して通信回路１１４→親機２０の通信回路２１３を介してパケット処理回路２１２に伝送する。パケット処理回路２１２は、パケットデータから滞留信号を分離して制御回路２１４に送信する。親機２０の制御回路２１４は滞留信号を受信すると第４の制御機能に基づき、子機１０の制御回路１１５にカメラ１０１からの映像のデジタル圧縮画像データを揮発性メモリ１１１に蓄積させ続ける制御信号を送信すると共に、その蓄積されたデジタル圧縮画像データを蓄積された順に親機２０の伸張回路２０９に送信させる制御信号を、子機１０の制御回路１１５に送信する。子機１０の制御回路１１５はこの制御信号に基づき、揮発性メモリ１１１に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の揮発性メモリ１１１に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。また、制御回路１１５の内部タイマで人体検知信号の一定時間の滞留を計測できない場合は、当該制御回路１１５の第４の制御機能に基づき、揮発性メモリ１１１へのデジタル圧縮画像データの蓄積を中止し、当該揮発性メモリ１１１内に蓄積されているデジタル圧縮画像データをすべて消去する。
［実施例５］
次に、子機１０の制御回路１１５と親機２０の制御回路２１４が第５の制御機能に設定されている場合について説明する。この第５の制御機能は、第１の制御機能と同様に、呼出ボタン１０２の操作から得られる来訪者の一定時間の滞留を第２のトリガとするものとする。また、人体感知センサ１０５は子機１０に内蔵されているものとする。
【００６５】
人体感知センサ１０５が人体を感知すると、人体感知センサ１０５からの人体感知信号は制御回路１１５に送信される。制御回路１１５は、人体感知信号を受信すると第５の制御機能に基づきカメラ１０１を駆動させるので、撮像が開始される。また、制御回路１１５は人体感知信号を受信すると第５の制御機能に基づき、内部タイマで呼出ボタン１０２からの呼出信号が一定時間内に受信されるかを監視する。
【００６６】
子機１０のカメラ１０１は撮像した映像の信号を圧縮回路１１０でデジタル圧縮画像データに変換する。圧縮回路１１０は制御回路１１５の第５の制御機能に基づきデジタル圧縮画像データを揮発性メモリ１１１に蓄積させる。この揮発性メモリ１１１は第４の制御機能の場合と同様で、フレーム単位の複数の画像データを蓄積できる容量を持ち、図２（ｅ）に示すように、人体感知センサ１０１が反応したときの子機１０のカメラ１０１からの映像のデジタル圧縮画像データを画像ｎとすると、制御回路１１５は画像ｎを揮発性メモリ１１１の領域１に蓄積し、続いて画像ｎ＋１が入力されると領域２に蓄積する。さらに画像ｎ＋２が入力されると領域３に蓄積する。この蓄積動作を繰り返し、画像ｎ＋２９が入力されると領域３０に蓄積されることになる。ここで、例えば、画像ｎ＋３０が入力すると、領域１に戻って画像ｎの蓄積画像を上書きして蓄積する。揮発性メモリ１１１は、これら蓄積動作を新しい画像データが入力される度に繰り返す上書き型であるが、プレ録画に必要な蓄積容量は確保されている。
【００６７】
このような状態において、来訪者が子機１０の呼出ボタン１０２を呼出操作すると、呼出ボタン１０２からの呼出信号は制御回路１１５に送信される。制御回路１１５はこの呼出信号を第２のトリガとして認識し、第１のトリガの入力後から一定時間以内に第２のトリガが入力している場合には、滞留信号をパケット処理回路１１３に送信する。パケット処理回路１１３は、滞留信号をパケット化して通信回路１１４→親機２０の通信回路２１３を介してパケット処理回路２１２に伝送する。パケット処理回路２１２はパケットデータから滞留信号を分離して制御回路２１４に送信する。制御回路２１４はこの滞留信号に基づき、子機１０のカメラ１０１からの映像のデジタル圧縮画像データを揮発性メモリ１１１に蓄積させ続ける制御信号を送信すると共に、その蓄積されたデジタル圧縮画像データを蓄積された順に親機２０の伸張回路２０９に送信させる制御信号を、子機１０の制御回路１１５に送信する。子機１０の制御回路１１５はこの制御信号に基づき揮発性メモリ１１１に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の揮発性メモリ１１１に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。なお、伸張回路２０９で伸張された画像データを揮発性メモリ２１０に一時的に記憶させるには、領域１〜領域３０に上書きさせたり、また、他の領域が存在する場合にはそこに記憶させたりしてもよい。
【００６８】
また、不揮発性メモリ１１２を録画再生用として使用するもので、子機１０の制御回路１１５の第５の制御機能に基づき、子機１０の揮発性メモリ１１１に蓄積されているデジタル圧縮画像データが最も古いデジタル圧縮画像データから順に転送される。この不揮発性メモリ１１２は、図２（ｅ）に示すように、第２のトリガが入力した時点で制御回路１１５が予め設定されたプレ録画に必要な揮発性メモリ１１１の所定領域まで遡り、その領域の画像ｍを領域Ａに蓄積し、続いて画像ｍ＋１が入力されると領域Ｂに蓄積し、さらに画像ｍ＋２が入力されると領域Ｃに蓄積する。これら蓄積動作を新しいデジタル圧縮画像データが入力される度に繰り返すことになる。
【００６９】
また、親機２０の制御回路２１４は子機１０からの呼出信号に基づきスピーカ２０２を鳴動させるための音声信号を、オーディオコーデック２０８を介してスピーカアンプ２０６に送信するので、親機スピーカ２０２から呼出音が鳴動させることができる。この来訪者の呼び出しに応答するために居住者が親機２０の通話ボタン２０４で通話操作すると、子機１０の子機マイク１０４および子機スピーカ１０３と、親機２０の親機マイク２０３および親機スピーカ２０２により来訪者、居住者間の通話が成立する。なお、居住者が通話を終了するために通話ボタン２０４で終話操作すると、子機１０の子機マイク１０４および子機スピーカ１０３と、親機２０の親機マイク２０３および親機スピーカ２０２による来訪者、居住者間の通話状態が解除される。この際、親機２０の不揮発性メモリ２１１に記憶されたデジタル圧縮画像データは保存されたままである。
【００７０】
なお、第１のトリガの入力後から一定時間以内に第２のトリガが入力していない場合には、子機１０の制御回路１１５は、揮発性メモリ１１１へのデジタル圧縮画像データの蓄積を中止し、当該揮発性メモリ１１１内に蓄積されているデジタル圧縮画像データをすべて消去する。
【００７１】
また、不揮発性メモリ１１２に保存された録画映像を再生する場合には、再生ボタン２０５を再生操作する。再生ボタン２０５を再生操作すると、再生ボタン２０５からの再生信号は制御回路２１４に送信される。制御回路２１４は、この再生信号に基づき子機１０の不揮発性メモリ１１２に再生用として蓄積されているデジタル圧縮画像データを蓄積された順に、親機２０の伸張回路２０９に出力する制御信号を子機１０の制御回路１１５に伝送する。子機１０の制御回路１１５はこの制御信号を受信すると、不揮発性メモリ１１２に再生用として蓄積されているデジタル圧縮画像データを蓄積された順に、パケット処理回路１１３に送信する。パケット処理回路１１３は、デジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、そのデジタル圧縮画像データを子機１０の不揮発性メモリ１１２に蓄積された順で伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。ここで、映し出される映像は人体感知センサ１０１が反応してから、通話を終了するまでの子機１０のカメラ１０１で撮像される映像である。
【００７２】
このように、子機１０の制御回路１１５および親機２０の制御回路２１４に第５の制御機能を設定することで、子機１０のカメラ１０１で撮像した来訪者の映像を含む玄関先の映像を記憶させる子機１０の揮発性メモリ１１１や不揮発性メモリ１１２に常時、画像を保存させることなく静止画プレ録画や動画プレ録画させることができるようになる。
【００７３】
また、第２のトリガを子機１０の呼出ボタン１０２からの呼出信号にしていたが、これに限らず、人体感知センサ１０５の反応から得られる来訪者の一定時間の滞留としてもよい。この場合、子機１０の制御回路１１５が人体感知信号を受信すると、制御回路１１５の内部タイマで人体感知信号が継続して一定時間受信されるかを監視する。もし、一定時間以上受信された場合は、制御回路１１５は滞留信号を親機２０の制御回路２１４に伝送するためにパケット処理回路１１３に送信する。パケット処理回路１１３は、滞留信号をパケット化して通信回路１１４→親機２０の通信回路２１３を介してパケット処理回路２１２に伝送する。パケット処理回路２１２は、パケットデータから滞留信号を分離して制御回路２１４に送信する。親機２０の制御回路２１４は滞留信号を受信すると第５の制御機能に基づき、子機１０の制御回路１１５にカメラ１０１からの映像のデジタル圧縮画像データを揮発性メモリ１１１に蓄積させ続ける制御信号を送信すると共に、その蓄積されたデジタル圧縮画像データを蓄積された順に親機２０の伸張回路２０９に送信させる制御信号を、子機１０の制御回路１１５に送信する。子機１０の制御回路１１５はこの制御信号に基づき、揮発性メモリ１１１に蓄積されたデジタル圧縮画像データを蓄積された順にパケット処理回路１１３に送信する。パケット処理回路１１３はこのデジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、デジタル圧縮画像データを子機１０の揮発性メモリ１１１に蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。また、制御回路１１５の内部タイマで人体検知信号の一定時間の滞留を計測できない場合は、当該制御回路１１５の第５の制御機能に基づき、揮発性メモリ１１１へのデジタル圧縮画像データの蓄積を中止し、当該揮発性メモリ１１１内に蓄積されているデジタル圧縮画像データをすべて消去する。
［実施例６］
次に、子機１０の制御回路１１５と親機２０の制御回路２１４が第６の制御機能に設定されている場合について説明する。この第６の制御機能は、第１の制御機能と同様に、呼出ボタン１０２の操作から得られる来訪者の一定時間の滞留を第２のトリガとするものとする。また、人体感知センサ１０５は子機１０に内蔵されているものとする。
【００７４】
人体感知センサ１０５が人体を感知すると、人体感知センサ１０５からの人体感知信号は制御回路１１５を介してパケット処理回路１１３に送信される。パケット処理回路１１３は、人体感知信号をパケット化して通信回路１１４→親機２０の通信回路２１３を介してパケット処理回路２１２に伝送する。パケット処理回路２１２は、パケットデータから人体感知信号を分離して制御回路２１４に送信する。親機２０の制御回路２１４は人体感知信号を受信すると第６の制御機能に基づき、この信号を第１のトリガとして子機１０のカメラ１０１を駆動するための制御信号をパケット処理回路２１２に送信する。パケット処理回路２１２は、制御信号をパケット化して通信回路２１３→子機１０の通信回路１１４を介してパケット処理回路１１３に伝送する。パケット処理回路１１３は、パケットデータから制御信号を分離して制御回路１１５に送信する。子機１０の制御回路１１５はこの制御信号に基づきカメラ１０１を駆動させるので、撮像が開始される。また、子機１０の制御回路１１５は人体感知信号を受信すると第６の制御機能に基づき、内部タイマで子機１０の呼出ボタン１０２からの呼出信号が一定時間内に受信されるかを監視する。
【００７５】
子機１０のカメラ１０１は撮像した映像の信号を圧縮回路１０１でデジタル圧縮画像データに変換してパケット処理回路１１３に送信する。パケット処理回路１１３は、デジタル圧縮画像データをパケット化して通信回路１１４→親機２０の通信回路２１３を介してパケット処理回路２１２に送信する。パケット処理回路２１２は、パケットデータからデジタル圧縮画像データを分離して制御回路２１４に送信する。制御回路２１４はデジタル圧縮画像データを揮発性メモリ２１０に蓄積する。この揮発性メモリ２１０はフレーム単位の複数の画像データを蓄積できる容量を持ち、図２（ｆ）に示すように、人体感知センサ１０１が反応したときの子機１０のカメラ１０１からの映像のデジタル圧縮画像データを画像ｎとすると、制御回路２１４は画像ｎを揮発性メモリ２１０の領域１に蓄積し、続いて画像ｎ＋１が入力されると領域２に蓄積する。さらに画像ｎ＋２が入力されると領域３に蓄積する。この蓄積動作を繰り返し、画像ｎ＋２９が入力されると領域３０に蓄積されることになる。ここで、例えば、画像ｎ＋３０が入力すると、領域１に戻って画像ｎの蓄積画像を上書きして蓄積する。揮発性メモリ２１０は、これら蓄積動作を新しい画像データが入力される度に繰り返す上書き型であるが、プレ録画に必要な蓄積容量は確保されている。
【００７６】
このような状態において、来訪者が子機１０の呼出ボタン１０２を呼出操作すると、呼出ボタン１０２からの呼出信号は制御回路１１５に送信される。制御回路１１５はこの呼出信号を第２のトリガとして認識し、第１のトリガの入力後から一定時間以内に第２のトリガが入力している場合には、滞留信号をパケット処理回路１１３に送信する。パケット処理回路１１３は、滞留信号をパケット化して通信回路１１４→親機２０の通信回路２１３を介してパケット処理回路２１２に伝送する。パケット処理回路２１２はパケットデータから滞留信号を分離して制御回路２１４に送信する。制御回路２１４はこの滞留信号に基づき、子機１０のカメラ１０１からの映像のデジタル圧縮画像データを揮発性メモリ２１０に蓄積すると共に、その蓄積されたデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。なお、伸張回路２０９で伸張された画像データを揮発性メモリ２１０に一時的に記憶させるには、領域１〜領域３０に上書きさせたり、また、他の領域が存在する場合にはそこに記憶させたりしてもよい。
【００７７】
また、不揮発性メモリ１１２は録画再生用として使用するもので、親機２０の制御回路２１４の第６の制御機能に基づき、揮発性メモリ２１０に蓄積されているデジタル圧縮画像データが最も古いデジタル圧縮画像データから順に転送される。この不揮発性メモリ１１２は、図２（ｆ）に示すように、第２のトリガが入力した時点で制御回路２１４が予め設定されたプレ録画に必要な揮発性メモリ２１０の所定領域まで遡り、その領域の画像ｍを領域Ａに蓄積し、続いて画像ｍ＋１が入力されると領域Ｂに蓄積し、さらに画像ｍ＋２が入力されると領域Ｃに蓄積する。これら蓄積動作を新しいデジタル圧縮画像データが入力される度に繰り返すことになる。
【００７８】
また、親機２０の制御回路２１４は子機１０からの呼出信号に基づきスピーカ２０２を鳴動させるための音声信号を、オーディオコーデック２０８を介してスピーカアンプ２０６に送信するので、親機スピーカ２０２から呼出音が鳴動させることができる。この来訪者の呼び出しに応答するために居住者が親機２０の通話ボタン２０４で通話操作すると、子機１０の子機マイク１０４および子機スピーカ１０３と、親機２０の親機マイク２０３および親機スピーカ２０２により来訪者、居住者間の通話が成立する。なお、居住者が通話を終了するために通話ボタン２０４で終話操作すると、子機１０の子機マイク１０４および子機スピーカ１０３と、親機２０の親機マイク２０３および親機スピーカ２０２による来訪者、居住者間の通話状態が解除される。この際、親機２０の不揮発性メモリ２１１に記憶されたデジタル圧縮画像データは保存されたままである。
【００７９】
なお、第１のトリガの入力後から一定時間以内に第２のトリガが入力していない場合には、親機２０の制御回路２１４は、揮発性メモリ２１０へのデジタル圧縮画像データの蓄積を中止し、当該揮発性メモリ２１０内に蓄積されているデジタル圧縮画像データをすべて消去する。
【００８０】
また、子機１０の不揮発性メモリ１１２に保存された録画映像を再生する場合には、再生ボタン２０５を再生操作する。再生ボタン２０５を再生操作すると、再生ボタン２０５からの再生信号は制御回路２１４に送信される。制御回路２１４は、この再生信号に基づき子機１０の不揮発性メモリ１１２に再生用として蓄積されているデジタル圧縮画像データを蓄積された順に、親機２０の伸張回路２０９に出力する制御信号を子機１０の制御回路１１５に伝送する。子機１０の制御回路１１５はこの制御信号を受信すると、不揮発性メモリ１１２に再生用として蓄積されているデジタル圧縮画像データを蓄積された順に、パケット処理回路１１３に送信する。パケット処理回路１１３は、デジタル圧縮画像データをパケット化して通信回路１１４→親機２０の通信回路２１３を介してパケット処理回路２１２に伝送する。パケット処理回路２１２はパケットデータからデジタル圧縮画像データを分離して制御回路２１４に送信する。制御回路２１４は、そのデジタル圧縮画像データを子機１０の不揮発性メモリ１１２に蓄積された順で伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。ここで、映し出される映像は人体感知センサ１０１が反応してから、通話を終了するまでの子機１０のカメラ１０１で撮像される映像である。
【００８１】
このように、子機１０の制御回路１１５および親機２０の制御回路２１４に第６の制御機能を設定することで、子機１０のカメラ１０１で撮像した来訪者の映像を含む玄関先の映像を記憶させる親機２０の揮発性メモリ２１０や子機１０の不揮発性メモリ１１２に常時、画像を保存させることなく静止画プレ録画や動画プレ録画させることができるようになる。
【００８２】
また、第２のトリガを子機１０の呼出ボタン１０２からの呼出信号にしていたが、これに限らず、人体感知センサ１０５の反応から得られる来訪者の一定時間の滞留としてもよい。この場合、子機１０の制御回路１１５が人体感知信号を受信すると、制御回路１１５の内部タイマで人体感知信号が継続して一定時間受信されるかを監視する。もし、一定時間以上受信された場合は、制御回路１１５は滞留信号を親機２０の制御回路２１４に伝送するためにパケット処理回路１１３に送信する。パケット処理回路１１３は、滞留信号をパケット化して通信回路１１４→親機２０の通信回路２１３を介してパケット処理回路２１２に伝送する。パケット処理回路２１２は、パケットデータから滞留信号を分離して制御回路２１４に送信する。親機２０の制御回路２１４は滞留信号を受信すると第６の制御機能に基づき、子機１０のカメラ１０１からの映像のデジタル圧縮画像データを揮発性メモリ２１０に蓄積すると共に、その蓄積されたデジタル圧縮画像データを蓄積された順に伸張回路２０９に出力する。伸張回路２０９はデジタル圧縮画像データを伸張して揮発性メモリ２１０に一時的に記憶させ、制御回路２１４は揮発性メモリ２１０に一時的に記憶されたデジタル画像データをモニタ制御回路２１５に送信するので、モニタ２０１に来訪者の映像が映し出される。また、録画再生のために、親機２０の制御回路２１４の第６の制御機能に基づき、揮発性メモリ２１０に蓄積されているデジタル圧縮画像データが最も古いデジタル圧縮画像データから順に子機１０の不揮発性メモリ１１２へと転送される。
【００８３】
また、制御回路１１５の内部タイマで人体感知信号の一定時間の滞留を計測できない場合は、録画消去信号を親機２０の制御回路２１４に伝送するためにパケット処理回路１１３に送信する。パケット処理回路１１３は、録画消去信号をパケット化して通信回路１１４→親機２０の通信回路２１３を介してパケット処理回路２１２に伝送する。パケット処理回路２１２は、パケットデータから録画消去信号を分離して制御回路２１４に送信する。親機２０の制御回路２１４は録画消去信号を受信すると第６の制御機能に基づき、子機１０の不揮発性メモリ１１２や親機２０の揮発性メモリ２１０へのデジタル圧縮画像データの蓄積を中止し、当該不揮発性メモリ１１２や揮発性メモリ２１０内に蓄積されているデジタル圧縮画像データをすべて消去する。
【図面の簡単な説明】
【００８４】
【図１】本発明のテレビドアホン装置における好ましい実施の形態例を示す全体ブロック図である。
【図２】本発明のテレビドアホン装置による録画状態を示す説明図で、（ａ）は第１の制御機能による親機の不揮発性メモリの画像蓄積イメージで、（ｂ）は第２の制御機能による子機の不揮発性メモリの画像蓄積イメージで、（ｃ）は第３の制御機能による親機の揮発性メモリおよび不揮発性メモリの各画像蓄積イメージで、（ｄ）は第４の制御機能による子機の揮発性メモリおよび親機の不揮発性メモリの各画像蓄積イメージで、（ｅ）は第５の制御機能による子機の揮発性メモリおよび不揮発性メモリの各画像蓄積イメージで、（ｆ）は第６の制御機能による親機の揮発性メモリと子機の不揮発性メモリの各画像蓄積イメージである。
【符号の説明】
【００８５】
１０……子機
１０１……カメラ
１０２……呼出ボタン
１０５……人体感知センサ
１０６……センサ・インターフェース
１１１……揮発性メモリ
１１２……不揮発性メモリ
１１５……制御回路
２０……親機
２０１……モニタ
２１０……揮発性メモリ
２１１……不揮発性メモリ
２１４……制御回路
【図１】
2006211517.tif 000003
【図２】
2006211517.tif 000004